【手続補正書】
【提出日】平成25年3月21日(2013.3.21)
【手続補正１】
【補正対象書類名】特許請求の範囲
【補正対象項目名】全文
【補正方法】変更
【補正の内容】
【特許請求の範囲】
【請求項１】
導光板と、
前記導光板の側面に配置された光源と、
前記導光板の表面または内部に配置されると共に前記導光板と接着された光変調素子と
を備え、
前記光変調素子は、
離間して互いに対向配置された第１電極および第２電極と、
前記第１電極と前記第２電極との間隙に設けられ、かつ電場の大きさに応じて、前記光源からの光に対して散乱性もしくは透明性を示す光変調層と
を有し、
前記第１電極および前記第２電極の少なくとも一方がパターニングされたものであり、
前記第１電極および前記第２電極のうちパターニングされた電極のパターン密度が前記光源からの距離に応じて異なっている
照明装置。
【請求項２】
前記第１電極および前記第２電極の少なくとも一方が複数の開口を有し、
前記開口の径は、前記光源からの距離に拘わらず一定となっており、
前記開口の密度が、前記光源からの距離に応じて異なっている
請求項１に記載の照明装置。
【請求項３】
前記第１電極および前記第２電極の少なくとも一方が複数の開口を有し、
前記開口の径が、前記光源からの距離に応じて異なっており、
前記開口の密度が、前記光源からの距離に応じて異なっている
請求項１に記載の照明装置。
【請求項４】
前記第１電極および前記第２電極のうちパターニングされた電極のパターン密度が、前記第１電極および前記第２電極のうちパターニングされた電極全体に関して、前記光源からの距離に応じて異なっている
請求項１ないし請求項３のいずれか一項に記載の照明装置。
【請求項５】
前記光変調層は、前記第１電極および前記第２電極の間に電圧が印加されている時に前記光源からの光に対して散乱性を示し、前記第１電極および前記第２電極の間に電圧が印加されていない時に前記光源からの光に対して透明性を示し、
前記第１電極および前記第２電極のうちパターニングされた電極のパターン密度が前記光源からの距離に応じて大きくなっている
請求項１ないし請求項３のいずれか一項に記載の照明装置。
【請求項６】
前記光変調層は、前記第１電極および前記第２電極の間に電圧が印加されている時に前記光源からの光に対して透明性を示し、前記第１電極および前記第２電極の間に電圧が印加されていない時に前記光源からの光に対して散乱性を示し、
前記第１電極および前記第２電極のうちパターニングされた電極のパターン密度が前記光源からの距離に応じて小さくなっている
請求項１ないし請求項３のいずれか一項に記載の照明装置。
【請求項７】
前記第１電極および前記第２電極の少なくとも一方が複数の部分電極によって構成されている
請求項１ないし請求項６のいずれか一項に記載の照明装置。
【請求項８】
前記第１電極および前記第２電極のうちパターニングされた電極のパターン密度が、前記部分電極ごとに、前記光源からの距離に応じて異なっている
請求項７に記載の照明装置。
【請求項９】
前記光変調層は、光学異方性を有すると共に電場に対する応答速度が互いに異なる第１領域および第２領域を含み、
前記第１領域および前記第２領域は、前記第１電極および前記第２電極の間に電圧が印加されていない時に当該第１領域および当該第２領域の光軸が互いに平行となり、前記第１電極および前記第２電極の間に電圧が印加されている時に当該第１領域および当該第２領域の光軸が互いに交差するような構造となっている
請求項１ないし請求項３のいずれか一項に記載の照明装置。
【請求項１０】
前記第１領域は、前記第１電極および前記第２電極の間に電圧が印加されていない時に当該第１領域の光軸が前記導光板の側面のうち前記光源の光が入射する光入射面と平行となると共に前記光変調素子の表面と第１角度で交差する構成となっており、かつ、前記第１電極および前記第２電極の間に電圧が印加されている時に当該第１領域の光軸が前記光入射面と平行となると共に前記光変調素子の表面と前記第１角度よりも大きな第２角度で交差する構成となっており、
前記第２領域は、前記第１電極および前記第２電極の間への電圧印加の有無に拘らず、当該第２領域の光軸が前記光入射面と平行となると共に前記光変調素子の表面と前記第１角度で交差する構成となっている
請求項９に記載の照明装置。
【請求項１１】
前記第１領域は、前記第１電極および前記第２電極の間に電圧が印加されていない時に当該第１領域の光軸が前記導光板の側面のうち前記光源の光が入射する光入射面と平行となると共に前記光変調素子の法線と第３角度で交差する構成となっており、かつ、前記第１電極および前記第２電極の間に電圧が印加されている時に当該第１領域の光軸が前記光入射面と平行となると共に前記光変調素子の法線と前記第３角度よりも大きな第４角度で交差するか、または前記光変調素子の表面と平行となる構成となっており、
前記第２領域は、前記第１電極および前記第２電極の間への電圧印加の有無に拘らず、当該第２領域の光軸が前記光入射面と平行となると共に前記光変調素子の表面と前記第３角度で交差する構成となっている
請求項９に記載の照明装置。
【請求項１２】
前記第１電極および前記第２電極のうち少なくとも一方が複数の部分電極によって構成され、かつ、前記複数の部分電極によって複数のセルが構成され、
前記複数のセルの、前記光源からの距離に応じて、前記複数の部分電極に印加する電圧を変調する駆動回路を備えた
請求項１ないし請求項１１のいずれか一項に記載の照明装置。
【請求項１３】
前記駆動回路は、前記光源からの距離と、映像信号とに応じて、前記複数の部分電極に印加する電圧を変調する
請求項１２に記載の照明装置。
【請求項１４】
前記光源は、前記セルに対応して設けられ、かつ互いに独立駆動可能な複数の光源ブロックを有し、
前記駆動回路は、発光対象のセルの、前記光源からの距離に応じて、前記光源ブロックに印加する電流もしくは電圧を変調する
請求項１２または請求項１３に記載の照明装置。
【請求項１５】
前記駆動回路は、発光対象のセルの、前記光源からの距離と、映像信号とに応じて、前記複数の部分電極に印加する電圧を変調する
請求項１３に記載の照明装置。
【請求項１６】
前記第１電極および前記第２電極のうちパターニングされた電極のパターン密度が互いに隣接する２つのセル間で連続的に変化している
請求項１２に記載の照明装置。
【請求項１７】
マトリクス状に配置された複数の画素を有し、前記複数の画素が画像信号に基づいて駆動される表示パネルと、
前記表示パネルを照明する照明装置と
を備え、
前記照明装置は、導光板と、前記導光板の側面に配置された光源と、前記導光板の表面または内部に配置されると共に前記導光板と接着された光変調素子とを前記表示パネル側から順に有し、
前記光変調素子は、
離間して互いに対向配置された第１電極および第２電極と、
前記第１電極と前記第２電極との間隙に設けられ、かつ電場の大きさに応じて、前記光源からの光に対して散乱性もしくは透明性を示す光変調層とを有し、
前記第１電極および前記第２電極の少なくとも一方がパターニングされたものであり、
前記第１電極および前記第２電極のうちパターニングされた電極のパターン密度が前記光源からの距離に応じて異なっている
表示装置。
【手続補正２】
【補正対象書類名】明細書
【補正対象項目名】０００８
【補正方法】変更
【補正の内容】
【０００８】
本発明の照明装置は、導光板と、導光板の側面に配置された光源と、導光板の表面または内部に配置されると共に導光板と接着された光変調素子とを備えたものである。上記光変調素子は、離間して互いに対向配置された第１電極および第２電極を有している。この光変調素子は、さらに、第１電極と第２電極との間隙に設けられ、かつ電場の大きさに応じて、光源からの光に対して散乱性もしくは透明性を示す光変調層を有している。第１電極および第２電極の少なくとも一方がパターニングされたものであり、第１電極および第２電極のうちパターニングされた電極のパターン密度が光源からの距離に応じて異なっている。
【手続補正３】
【補正対象書類名】明細書
【補正対象項目名】００１４
【補正方法】変更
【補正の内容】
【００１４】
＜第１の実施の形態＞
図１（Ａ）は、本発明の第１の実施の形態に係るバックライト１（照明装置）の断面構成の一例を表したものである。図１（Ｂ）は、図１（Ａ）の光変調素子３０の断面構成の一例を表したものである。なお、図１（Ａ），（Ｂ）は、模式的に表したものであり、実際の寸法や形状と同一であるとは限らない。このバックライト１は、例えば、液晶表示パネルなどを背後から照明するものであり、導光板１０と、導光板１０の側面に配置した光源２０と、導光板１１の背後に配置した光変調素子３０および反射板４０と、光変調素子３０を駆動する駆動回路５０とを備えている。
【手続補正４】
【補正対象書類名】明細書
【補正対象項目名】００３１
【補正方法】変更
【補正の内容】
【００３１】
また、垂直、水平いずれの配向膜においても、液晶とモノマーを配向させる機能があれば十分であり、通常の液晶ディスプレイに要求される電圧の繰り返し印加に対する信頼性などは必要ない。デバイス作成後の電圧印加による信頼性は、モノマーを重合したものと液晶との界面で決まるためである。また、配向膜を用いなくても、例えば、下側電極３２および上側電極３６間に電場や磁場を印加することによっても、光変調層３４に用いられる液晶やモノマーを配向させることが可能である。つまり、下側電極３２および上側電極３６間に電場や磁場を印加しながら、紫外線照射して電圧印加状態での液晶やモノマーの配向状態を固定させることができる。配向膜の形成に電圧を用いる場合には、配向用と駆動用とで別々の電極を形成するか、液晶材料に周波数によって誘電率異方性の符号が反転する二周波液晶などを用いることができる。また、配向膜の形成に磁場を用いる場合、配向膜として磁化率異方性の大きい材料を用いることが好ましく、例えば、ベンゼン環の多い材料を用いることが好ましい。
【手続補正５】
【補正対象書類名】明細書
【補正対象項目名】００４５
【補正方法】変更
【補正の内容】
【００４５】
一方、微粒子３４Ｂは、例えば、液晶材料を主に含んで構成されており、バルク３４Ａの応答速度よりも十分に早い応答速度を有している。微粒子３４Ｂ内に含まれる液晶材料（液晶分子）は、例えば棒状分子である。微粒子３４Ｂ内に含まれる液晶分子として、正の誘電率異方性を有するもの（いわゆるポジ型液晶）を用いることが好ましい。
【手続補正６】
【補正対象書類名】明細書
【補正対象項目名】００４９
【補正方法】変更
【補正の内容】
【００４９】
駆動回路５０は、例えば、一の光変調セル３０−１において微粒子３４Ｂの光軸ＡＸ２がバルク３４Ａの光軸ＡＸ１と平行もしくはほぼ平行となり、他の光変調セル３０−１において微粒子３４Ｂの光軸ＡＸ２がバルク３４Ａの光軸ＡＸ１と交差もしくは直交するように各光変調セル３０−１の一対の電極（下側電極３２、上側電極３６）へ印加する電圧の大きさを制御するようになっている。つまり、駆動回路５０は、電場制御によって、バルク３４Ａおよび微粒子３４Ｂの光軸ＡＸ１，ＡＸ２の向きを互いに一致（もしくはほぼ一致）させたり、互いに異ならせたり（もしくは直交させたり）することができるようになっている。
【手続補正７】
【補正対象書類名】明細書
【補正対象項目名】００８０
【補正方法】変更
【補正の内容】
【００８０】
ただし、配向膜３３，３５として垂直用配向膜を用いるに際しては、微粒子３４Ｂ内に含まれる液晶分子として、負の誘電率異方性を有するもの（いわゆるネガ型液晶）を用いることが好ましい。
【手続補正８】
【補正対象書類名】明細書
【補正対象項目名】００９４
【補正方法】変更
【補正の内容】
【００９４】
一方、微粒子６４Ｂは、例えば、液晶材料を主に含んで構成されており、バルク６４Ａの応答速度よりも十分に早い応答速度を有している。微粒子６４Ｂ内に含まれる液晶材料（液晶分子）は、例えば棒状分子である。微粒子６４Ｂ内に含まれる液晶分子として、負の誘電率異方性を有するもの（いわゆるネガ型液晶）が用いられている。